(57)【特許請求の範囲】
【請求項１】
一対の壁部間に固定されてデッキ材を支持するデッキ支持材であって、
前記一対の壁部の対向方向を長手方向として配置される支持本体と、前記支持本体の一方の端部に、前記支持本体の長手方向に沿ってスライド可能に取り付けられるスライド部材と、前記スライド部材を一対の壁部のうちの一方の壁部に向かって付勢するばね部材と、前記支持本体の他方の端部および前記スライド部材のうちの少なくとも一方に取り付けられる長さ調整具と、前記支持本体の他方の端部および前記スライド部材のうちのいずれか他方または前記長さ調整具にそれぞれ取り付けられて前記一対の壁部に当接する一対の当接部材とを備え、
前記スライド部材および前記支持本体のうちの一方には、スライド方向に延びた長孔が形成され、
前記スライド部材および前記支持本体のうちの他方には、前記長孔にガイドされるガイド体が形成され、
前記ガイド体は、前記支持本体に対する前記スライド部材の傾きを抑制可能に前記長孔に挿通される
ことを特徴とするデッキ支持材。
【請求項２】
請求項１に記載のデッキ支持材において、
前記長さ調整具は、前記支持本体の他方の端部に取り付けられる第一長さ調整具と、前記スライド部材に取り付けられる第二長さ調整具とを備え、
前記第一長さ調整具には、前記一対の当接部材のうちの一方の当接部材が取り付けられ、
前記第二長さ調整具には、前記一対の当接部材のうちの他方の当接部材が取り付けられる
ことを特徴とするデッキ支持材。
【請求項３】
請求項１または請求項２に記載のデッキ支持材において、
前記ガイド体は、スライド方向に並んで位置する２本以上のガイド用ビスによって構成される
ことを特徴とするデッキ支持材。
【請求項４】
請求項１から請求項３のいずれか一項に記載のデッキ支持材において、
前記スライド部材には、前記支持本体に対するスライド方向の位置を示す目印が設けられる
ことを特徴とするデッキ支持材。
【請求項５】
請求項１から請求項４のいずれか一項に記載のデッキ支持材において、
前記支持本体から下方への突出量を調整可能な高さ調整具をさらに備える
ことを特徴とするデッキ支持材。
【請求項６】
請求項１から請求項５のいずれか一項に記載のデッキ支持材と、前記デッキ支持材に固定されるデッキ材とを備えて構成されることを特徴とするデッキ。
【請求項７】
デッキ材と、一対の壁部間に固定されて前記デッキ材を支持するデッキ支持材とを備えるデッキを施工するためのデッキ施工方法であって、
前記デッキ支持材は、前記一対の壁部の対向方向を長手方向として配置される支持本体と、前記支持本体の一方の端部に、前記支持本体の長手方向に沿ってスライド可能に取り付けられるスライド部材と、前記スライド部材を一対の壁部のうちの一方の壁部に向かって付勢するばね部材と、前記支持本体の他方の端部および前記スライド部材のうちの少なくとも一方に取り付けられる長さ調整具と、前記支持本体の他方の端部および前記スライド部材のうちのいずれか他方または前記長さ調整具にそれぞれ取り付けられて前記一対の壁部に当接する一対の当接部材とを備え、前記長さ調整具は、前記支持本体の他方の端部に取り付けられる第一長さ調整具と、前記スライド部材に取り付けられる第二長さ調整具とを備え、前記第一長さ調整具には、前記一対の当接部材のうちの一方の当接部材が取り付けられ、前記第二長さ調整具には、前記一対の当接部材のうちの他方の当接部材が取り付けられるものとしておき、前記スライド部材および前記支持本体のうちの一方には、スライド方向に延びた長孔が形成され、前記スライド部材および前記支持本体のうちの他方には、前記長孔にガイドされるガイド体が形成され、前記ガイド体は、前記支持本体に対する前記スライド部材の傾きを抑制可能に前記長孔に挿通され、
前記一対の壁部間に前記デッキ支持材を配置し、前記第一長さ調整具の長さ調整により前記デッキ支持材の全長を調整して前記一対の当接部材を前記一対の壁部にそれぞれ当接し、
前記第二長さ調整具の長さ調整により、前記デッキ支持材の支持本体に対してスライド部材をスライドさせて、ばね部材の付勢力が予め定められた設定値にある状態とし、
前記デッキ支持材に前記デッキ材を固定する
ことを特徴とするデッキ施工方法。
【発明の詳細な説明】
【技術分野】
【０００１】
本発明は、バルコニーなどに設置されてデッキを支持するデッキ支持材、デッキおよびデッキ施工方法に関する。
【背景技術】
【０００２】
従来、デッキ支持材として、両端部に振れ止め具が取り付けられる根太が知られている（特許文献１参照）。根太の両端部には、雌ねじ部を有した振れ止め固定金具が設けられている。振れ止め具は、緩衝材を正面に備えた皿の底部中心にねじ軸を備えてなり、このねじ軸が振れ止め固定金具の雌ねじ部にねじ込まれている。また、ねじ軸には止めナットが螺合しており、止めナットの位置調整によって振れ止め具の根太からの突出量を調整可能である。
この特許文献１に記載の根太は、各振れ止め具の突出量の調整により、その皿の緩衝材を、中空矩形状の固定枠の対向する内壁面に密着させることで、根太が振れないように固定される。
【先行技術文献】
【特許文献】
【０００３】
【特許文献１】特開２００５−０９７８７５号公報
【発明の概要】
【発明が解決しようとする課題】
【０００４】
ところで、特許文献１に記載の根太では、ねじ軸に対する止めナットの位置調整だけによって振れ止め具の根太からの突出量を調整するため、外気温の変化などによって根太に伸縮変形が生じた場合には、根太の長さ寸法の変化に応じて一定の固定状態を保つことが困難である。
つまり、外気温の温度低下によって根太が縮む場合には、固定枠の内壁面に対する振れ止め具からの押圧力が弱まり、根太自体に位置ずれが生じるおそれがある。このため、根太によってデッキの反りなどの変形を抑制することが困難である。他方、外気温の温度上昇によって根太が伸びる場合には、固定枠の内壁面に過大な押圧力が加えられるおそれがある。
【０００５】
本発明の目的は、外気温が変化しても一定の固定状態を保つことができるデッキ支持材、デッキおよびデッキ施工方法を提供することにある。
【課題を解決するための手段】
【０００６】
本発明のデッキ支持材は、一対の壁部間に固定されてデッキ材を支持するデッキ支持材であって、前記一対の壁部の対向方向を長手方向として配置される支持本体と、前記支持本体の一方の端部に、前記支持本体の長手方向に沿ってスライド可能に取り付けられるスライド部材と、前記スライド部材を一対の壁部のうちの一方の壁部に向かって付勢するばね部材と、前記支持本体の他方の端部および前記スライド部材のうちの少なくとも一方に取り付けられる長さ調整具と、前記支持本体の他方の端部および前記スライド部材のうちのいずれか他方または前記長さ調整具にそれぞれ取り付けられて前記一対の壁部に当接する一対の当接部材とを備え、前記スライド部材および前記支持本体のうちの一方には、スライド方向に延びた長孔が形成され、前記スライド部材および前記支持本体のうちの他方には、前記長孔にガイドされるガイド体が形成され、前記ガイド体は、前記支持本体に対する前記スライド部材の傾きを抑制可能に前記長孔に挿通されることを特徴とする。
【０００７】
本発明のデッキ支持材によれば、長さ調整具の長さ調整によってデッキ支持材の全長を調整できるうえ、ばね部材によってスライド部材が一方の壁部に向かって付勢されるため、金属製、樹脂製、木製などの支持本体の長さ寸法が外気温の変化を受けて変化しても、
外気温の変化に対応してスライド部材が支持本体の長手方向に沿ってスライドし、ばね部材が弾性伸縮することで、デッキ支持材の固定状態を一定に保つことができる。つまり、外気温の温度低下によって支持本体が縮む場合には、ばね部材に付勢されるスライド部材が一方の壁部に向かってスライドすることで、デッキ支持材の全長を伸ばすことができ、一対の壁部への固定が位置ズレを生じる程度にまで緩むことを防止できる。また、外気温の温度上昇によって支持本体が伸びる場合には、スライド部材がばね部材の付勢に抗して支持本体の一方の端部に向かってスライドすることで、デッキ支持材の全長を縮めることができ、一対の壁部に過大な押圧力が加えられることを抑制できる。
さらに、長さ調整具の長さ調整によって一対の壁部に対する突っ張り力をも調整できる。
また、長さ調整具が支持本体の他方の端部に取り付けられる場合には、長さ調整具の長さ調整によって支持本体の長手方向における位置を調整でき、設置自由度を拡げることができる。
他方、長さ調整具がスライド部材に取り付けられる備える場合には、デッキ支持材を一対の壁部間に突っ張り固定した状態で長さ調整を行うことで、支持本体の長手方向における位置を維持したままスライド部材の支持本体に対する位置を調整でき、一対の壁部に対する押圧力を調整できる。
加えて、ガイド体が、支持本体に対するスライド部材の傾きを抑制可能に長孔に挿通されるため、スライド部材の支持本体に対する傾きによるデッキ支持材の浮き上がりを抑制できる。
なお、デッキ支持材は、例えば、デッキが固定される根太によって構成される。
【０００８】
本発明のデッキ支持材では、前記長さ調整具は、前記支持本体の他方の端部に取り付けられる第一長さ調整具と、前記スライド部材に取り付けられる第二長さ調整具とを備え、前記第一長さ調整具には、前記一対の当接部材のうちの一方の当接部材が取り付けられ、前記第二長さ調整具には、前記一対の当接部材のうちの他方の当接部材が取り付けられることが好ましい。
このような構成よれば、第一長さ調整具の長さ調整によって支持本体の他方の端部に対する一方の当接部材の突出量を調整できるため、第一長さ調整具を支持本体の位置調整やデッキ支持材の全長調整用として利用でき、他方、第二長さ調整具の長さ調整によってスライド部材に対する他方の当接部材の突出量を調整できるため、第二長さ調整具をばね付勢力調整用として利用でき、各長さ調整具の使い分けによって施工性の向上を図れる。さらに、第一長さ調整具および第二長さ調整具の双方を備えるため、調整幅の拡大を容易に行うことができる。
【００１０】
本発明のデッキ支持材では、前記ガイド体は、スライド方向に並んで位置する２本以上のガイド用ビスによって構成されることが好ましい。
このような構成によれば、ガイド体の構成を２本以上のガイド用ビスによって簡略化でき、２本以上のガイド用ビスがスライド方向に並んで位置するため、スライド部材の支持本体に対する傾きを抑制できる。
【００１１】
本発明のデッキ支持材では、前記スライド部材には、前記支持本体に対するスライド方向の位置を示す目印が設けられることが好ましい。
このような構成によれば、前述した支持本体に対するスライド方向の位置を示す目印がスライド部材に設けられるため、目印によってスライド部材の支持本体に対するスライド方向の位置を確認しつつスライド部材を位置調整でき、例えば、ばね部材の付勢力を予め定められた設定値に簡単に設定できる。
【００１２】
本発明のデッキ支持材では、前記支持本体から下方への突出量を調整可能な高さ調整具をさらに備えることが好ましい。
このような構成によれば、支持本体から下方への突出量を調整可能な高さ調整具を備えるため、例えば、デッキ支持材の下部に高さ位置調整用のパネル材などを設置しなくても、高さ調整具によってデッキ支持材の高さ位置を適切な高さ位置に簡単に調整できる。
【００１３】
本発明のデッキは、前述した本発明のデッキ支持材と、前記デッキ支持材に固定されるデッキ材とを備えて構成されることを特徴とする。
本発明のデッキによれば、前述した本発明のデッキ支持材と同様の作用効果を発揮可能なデッキとすることができる。従って、デッキ材のデッキ支持材への固定後に外気温が変化しても、デッキ支持材の一対の壁部への固定状態を一定に保てるので、デッキ材の位置ズレ、浮き上がりや傾きが生じるおそれをなくすことができる。
【００１４】
本発明のデッキ施工方法は、デッキ材と、一対の壁部間に固定されて前記デッキ材を支持するデッキ支持材とを備えるデッキを施工するためのデッキ施工方法であって、前記デッキ支持材は、前記一対の壁部の対向方向を長手方向として配置される支持本体と、前記支持本体の一方の端部に、前記支持本体の長手方向に沿ってスライド可能に取り付けられるスライド部材と、前記スライド部材を一対の壁部のうちの一方の壁部に向かって付勢するばね部材と、前記支持本体の他方の端部および前記スライド部材のうちの少なくとも一方に取り付けられる長さ調整具と、前記支持本体の他方の端部および前記スライド部材のうちのいずれか他方または前記長さ調整具にそれぞれ取り付けられて前記一対の壁部に当接する一対の当接部材とを備え、前記長さ調整具は、前記支持本体の他方の端部に取り付けられる第一長さ調整具と、前記スライド部材に取り付けられる第二長さ調整具とを備え、前記第一長さ調整具には、前記一対の当接部材のうちの一方の当接部材が取り付けられ、前記第二長さ調整具には、前記一対の当接部材のうちの他方の当接部材が取り付けられるものとしておき、前記スライド部材および前記支持本体のうちの一方には、スライド方向に延びた長孔が形成され、前記スライド部材および前記支持本体のうちの他方には、前記長孔にガイドされるガイド体が形成され、前記ガイド体は、前記支持本体に対する前記スライド部材の傾きを抑制可能に前記長孔に挿通され、前記一対の壁部間に前記デッキ支持材を配置し、前記第一長さ調整具の長さ調整により前記デッキ支持材の全長を調整して前記一対の当接部材を前記一対の壁部にそれぞれ当接し、前記第二長さ調整具の長さ調整により、前記デッキ支持材の支持本体に対してスライド部材をスライドさせて、ばね部材の付勢力が予め定められた設定値にある状態とし、前記デッキ支持材に前記デッキ材を固定することを特徴とする。
本発明のデッキ施工方法によれば、先ず第一長さ調整具の長さ調整によってデッキ支持材の全長を調整してデッキ支持材を一対の壁部に当接することで、一対の壁部に大きな押圧力を加えることなく、デッキ支持材の固定位置を設定できる。
さらに、第二長さ調整具の長さ調整によってスライド部材を支持本体に対してスライドさせるため、支持本体の位置変化を生じることなくデッキ支持材の固定位置を維持したまま、ばね部材の付勢力を設定値にできる。
このように、第一長さ調整具をデッキ支持材の全長調整に用い、第二長さ調整具をばね部材の付勢力の調整に用いることで、施工性を向上できる。
加えて、ガイド体が、支持本体に対するスライド部材の傾きを抑制可能に長孔に挿通されるため、スライド部材の支持本体に対する傾きによるデッキ支持材の浮き上がりを抑制できる。
【発明の効果】
【００１５】
本発明によれば、外気温が変化しても一定の固定状態を保つことができるデッキ支持材、デッキおよびデッキ施工方法を提供できる。
【図面の簡単な説明】
【００１６】
【図１】本発明の実施形態に係るデッキ支持材の固定状態を示す斜視図。
【図２】前記実施形態に係るデッキ支持材を備えたデッキを示す縦断面図。
【図３】前記実施形態に係るデッキ支持材を示す側面図。
【図４】前記実施形態に係るデッキ支持材を示す下面図。
【図５】図３のＶ−Ｖ線に沿った断面図。
【図６】前記実施形態に係るデッキ支持材の動作を示す下面図。
【発明を実施するための形態】
【００１７】
［本実施形態の構成］
以下、本発明の実施形態を図面に基づいて説明する。
図１，２に示すデッキ１は、デッキ材２と、本実施形態に係るデッキ支持材である根太３とを備えて構成され、建物のバルコニー４に設置されるものである。
バルコニー４は、コンクリート製の底部５および壁部６，７を備えて構成されている。壁部６，７はバルコニー４の出幅方向において互いに対向して配置されている。
【００１８】
デッキ材２は、水平方向に複数並設されている。複数のデッキ材２のうちバルコニー４の出幅方向における両端部に配置されるデッキ材２Ａ，２Ｂは、固定ビス８によって複数の根太３に固定されている。
デッキ材２は、木粉を含有した合成樹脂製の押出形材によってそれぞれ同一形状に形成されており、デッキ１の間口方向（バルコニー４の間口方向と同方向）および奥行方向（バルコニー４の出幅方向と同方向）に並んで設けられている。
デッキ材２は、平面視略矩形状であり、図２に示すように、デッキ上板部２１と、デッキ下板部２２と、デッキ側縁部２３と、デッキ上板部２１およびデッキ下板部２２を連結してデッキ材２を補強する補強板部２４とを有して形成されている。デッキ材２の内部は中空とされている。
互いに隣接するデッキ側縁部２３同士は、根太３にビス止めされた連結金具２５を介して連結されている。また、互いに隣接するデッキ材２の端部間には、目地塞ぎ材（図示省略）が介在されている。
【００１９】
複数の根太３は、デッキ１の間口方向において所定間隔を隔てて壁部６，７間に配置されている。
根太３は、図３〜５に示すように、根太本体３０（支持本体）と、スライド部材４０と、ばね部材であるコイルばね５０と、連結体５５Ａ，５５Ｂ（ガイド体）と、長さ調整具６０，７０と、当接部材６２，７２と、高さ調整具８０とを備えて構成されている。スライド部材４０およびコイルばね５０によって付勢装置が形成されている。
【００２０】
根太本体３０は、アルミ押出形材によって中空に形成されており、根太上板部３１と、根太側板部３２，３３と、根太下板部３４と、根太延出板部３５Ａ，３５Ｂとを有している。
根太上板部３１の両側縁は、根太側板部３２，３３の上縁から図５において左右方向に若干突出している。根太上板部３１の長手方向における両端部には、前述した固定ビス８がねじ込まれて、デッキ材２Ａ，２Ｂが固定される。
根太側板部３２，３３には、後述する各ビス９，５５１，５５２が螺合するねじ孔が形成されている。
根太下板部３４には、後述する取付板８３が嵌合する嵌合凹部３４１が、根太本体３０の長手方向に沿って形成されている。嵌合凹部３４１には、後述する軸部材８１が挿通される挿通孔（図示省略）が形成されている。
根太延出板部３５Ａは、根太側板部３２の根太上板部３１寄りに位置する部分から図５の右側に延出して形成されている。根太延出板部３５Ｂは、根太側板部３３の根太上板部３１寄りに位置する部分から図５の左側に延出して形成されている。
【００２１】
また、根太本体３０の長手方向における両端部３０Ａ，３０Ｂには、固定金具３６，３７がそれぞれ固定されている。
固定金具３６は、根太本体３０の端部３０Ａ（他方の端部）に固定されるものであり、板状の金具をコ字状に折曲して形成され、側板部３６１，３６２および連結板部３６３を有している。
側板部３６１，３６２は、根太側板部３２，３３に沿って配置されており、上縁が根太延出板部３５Ａ，３５Ｂにそれぞれ当接している。側板部３６１，３６２には、ビス９が挿通する孔がそれぞれ形成されており、当該孔に挿通したビス９が根太側板部３２，３３の各ねじ孔に螺合することによって、側板部３６１，３６２は根太側板部３２，３３に固定されている。
連結板部３６３は、側板部３６１，３６２を連結しており、根太本体３０の端部３０Ａ側の端面を塞いで配置されている。連結板部３６３には、後述する軸部材６１が螺合する螺合孔３６３Ａが形成されている。
【００２２】
固定金具３７は、根太本体３０の端部３０Ｂ（一方の端部）に固定されるものであり、板状の金具をコ字状に折曲して形成され、側板部３７１，３７２および連結板部３７３を有している。
側板部３７１，３７２は、根太側板部３２，３３に沿って配置されており、上縁が根太延出板部３５Ａ，３５Ｂにそれぞれ当接している。側板部３７１，３７２には、ビス９および後述する段付きビス５５１，５５２が挿通する孔がそれぞれ形成されており、当該孔に挿通した各ビス９，５５１，５５２が根太側板部３２，３３の各ねじ孔に螺合することによって、側板部３７１，３７２は根太側板部３２，３３に固定されている。
連結板部３７３は、側板部３７１，３７２を連結しており、根太本体３０の端部３０Ｂ側の端面を塞いで配置されている。連結板部３７３には、後述する軸部材７１が挿通される挿通孔３７３Ａが形成されている。
【００２３】
スライド部材４０は、矩形板状の金具をコ字状に折曲して形成され、スライド板部４１，４２および連結板部４３を有している。
スライド板部４１，４２は、側板部３７１，３７２に沿って配置されており、上縁が根太延出板部３５Ａ，３５Ｂにそれぞれ当接している。スライド板部４１，４２には、根太本体３０の長手方向に延びた長孔４１１，４２１がそれぞれ形成されている。長孔４１１，４２１および固定金具３７の各孔に連結体５５Ａ，５５Ｂが挿通され、当該連結体５５Ａ，５５Ｂが根太側板部３２，３３の各ねじ孔に螺合することによって、スライド板部４１，４２は根太側板部３２，３３にそれぞれ連結されている。この連結体５５Ａ，５５Ｂは、長孔４１１，４２１にガイドされる。
また、スライド板部４１，４２には、その根太本体３０に対するスライド方向の位置を示す目印４５（図３参照）が設けられている。目印４５はスライド方向において二つ設けられている。両目印４５間に根太本体３０の端部３０Ｂ側の端面が位置するようにスライド部材４０のスライド方向の位置が調整されると、スライド部材４０のスライド方向であって壁部７に向かうコイルばね５０の付勢力は予め定められた設定値の範囲内とされる。
連結板部４３は、スライド板部４１，４２の先端を連結しており、スライド部材４０のスライド方向において固定金具３７の連結板部３７３から離間して位置している。連結板部４３には、後述する軸部材７１が螺合する螺合孔４３１が形成されている。
【００２４】
コイルばね５０は、スライド部材４０の連結板部４３と固定金具３７の連結板部３７３との間に介在されている。コイルばね５０の一端は連結板部４３に当接しており、コイルばね５０の他端は連結板部３７３に当接している。
このコイルばね５０は、スライド方向であってスライド部材４０を根太本体３０から離間する方向に付勢している。
【００２５】
連結体５５Ａは、スライド方向に間隔を隔てて並んで位置した２本の段付きビス５５１，５５２（ガイド用ビス）によって構成されている。
段付きビス５５１，５５２のねじ軸部は根太側板部３２のねじ孔に螺合し、段付きビス５５１，５５２の円柱軸部は長孔４１１に摺動可能に配置されている。
段付きビス５５１から段付きビス５５２までのスライド方向寸法は、長孔４１１の長さ寸法よりも短い。このため、スライド板部４１は根太側板部３２にスライド可能に連結されている。
また、スライド部材４０が段付きビス５５１，５５２のうちの一方のビスを中心とする回転は段付きビス５５１，５５２のうちの他方のビスの長孔４１１への当接によって抑制される。従って、スライド部材４０が根太本体３０に対して上方または下方に傾くことは、段付きビス５５１，５５２によって抑制されている。
なお、連結体５５Ｂも、連結体５５Ａと同様に、段付きビス５５１，５５２によって構成され、スライド板部４２を根太側板部３３にスライド可能に連結し、スライド部材４０の根太本体３０に対する傾きを抑制している。
【００２６】
長さ調整具６０（第一長さ調整具）は、根太本体３０の端部３０Ａ側に配置されている。長さ調整具６０は、根太本体３０の長手方向に延びて固定金具３６の螺合孔３６３Ａに螺合する軸部材６１（ねじ軸）と、軸部材６１の回転操作用の操作ナット６３と、軸部材６１の回転をロックする止めナット６４とを備えて構成されている。軸部材６１の先端側には操作ナット６３が固定されており、操作ナット６３よりも固定金具３６側に位置する軸部材６１の部分には止めナット６４が螺合している。
【００２７】
当接部材６２は、皿状に形成され、軸部材６１の先端に回転可能に取り付けられている。また、当接部材６２には、緩衝材（図示省略）が装着されており、この緩衝材が壁部６に当接している。
【００２８】
前述した長さ調整具６０は、本実施形態では主に根太３の全長調整に利用されるものであり、操作ナット６３の回転操作により軸部材６１を回転、逆回転することで、軸部材６１の固定金具３６からの突出量を調整し、当接部材６２を根太本体３０の長手方向に移動させられる。そして、止めナット６４を回転し、当該止めナット６４が固定金具３６の連結板部３６３に当接することで、軸部材６１の回転、逆回転は止められ、当接部材６２の位置は固定される。また、止めナット６４を逆回転し、この止めナット６４が連結板部３６３から離間することで、軸部材６１は回転、逆回転可能な状態となる。
【００２９】
長さ調整具７０（第二長さ調整具）は、根太本体３０の長手方向に延びた軸部材７１（ねじ軸）と、軸部材７１の回転操作用の操作ナット７３と、軸部材７１の回転をロックする止めナット７４とを備えて構成されている。軸部材７１は、スライド部材４０の螺合孔４３１に螺合して固定金具３７の挿通孔３７３Ａに挿通している。軸部材７１の先端側には操作ナット７３が固定されており、操作ナット７３よりも固定金具３７側に位置する軸部材７１の部分には止めナット７４が螺合している。
【００３０】
当接部材７２は、皿状に形成され、軸部材７１の先端に回転可能に取り付けられている。また、当接部材７２には、緩衝材（図示省略）が装着されており、この緩衝材が壁部７に当接している。
【００３１】
前述した長さ調整具７０は、本実施形態では主にコイルばね５０の付勢力の調整に利用されるものであり、操作ナット７３の回転操作により軸部材７１を回転、逆回転することで、軸部材７１のスライド部材４０からの突出量を調整し、当接部材７２を根太本体３０の長手方向に移動させられる。そして、止めナット７４を回転し、当該止めナット７４がスライド部材４０の連結板部４３に当接することで、軸部材７１の回転、逆回転は止められ、当接部材７２の位置は固定される。また、止めナット７４を逆回転し、この止めナット６４が連結板部４３から離間することで軸部材７１は回転、逆回転可能な状態となる。
なお、長さ調整具７０の根太本体３０に対する位置は、スライド部材４０のスライドによってスライド方向に変位する。
【００３２】
高さ調整具８０は、図２に示すように、根太本体３０の長手方向に沿って所定間隔を隔てて複数配置されている。高さ調整具８０は、図５に示すように、上下方向に延びた軸部材８１と、軸部材８１の先端に取り付けられた操作摘み８２と、軸部材８１が螺合するとともに、根太本体３０の嵌合凹部３４１に嵌合し、ビス１０によって取り付けられる取付板８３とを備えて構成されている。
この高さ調整具８０は、操作摘み８２の回転操作により軸部材８１を回転、逆回転することで、根太本体３０の下方への突出量を調整する。
なお、軸部材８１には、回転をロックする止めナット（図示省略）が螺合していてもよい。
【００３３】
［デッキの施工］
以下、デッキ１の施工手順について説明する。
先ず、図１に示すように、複数の根太３を間口方向に沿って所定間隔を隔てて配置する。この際、各根太３の長手方向の向きはバルコニー４の出幅方向と同じ向きとされ、当接部材６２はバルコニー４の壁部６側（先端側）に位置し、当接部材７２はバルコニー４の壁部７側（基端側）に位置した状態とされる。また、当接部材７２は、壁部７に当接した状態とされている。
ここで、図２に示すように、バルコニー４の底部５には、壁部７から壁部６に向かって下さがりの傾斜勾配が設定されているので、複数の高さ調整具８０の操作摘み８２をそれぞれ操作して各軸部材８１の下方への突出量を調整して、根太３が水平方向に延びた状態にする。
【００３４】
次に、長さ調整具６０の長さ調整によって各根太３の全長を調整し、壁部６，７間に仮固定する。つまり、操作ナット６３の回転操作によって軸部材６１の突出量を調整し、当接部材６２を根太本体３０の長手方向に沿って壁部６に向かって突出させ（図６参照）、壁部６に当接させる。つづいて、止めナット６４を回転して固定金具３６の連結板部３６３に当接し、軸部材６１の回転をロックする。このようにして、根太３を壁部６，７間に仮固定する。
【００３５】
次に、長さ調整具７０の長さ調整によって各根太３の壁部６，７に対する突っ張り状態を調整する。つまり、操作ナット７３の回転操作によって軸部材７１の突出量を調整し、スライド部材４０をスライド方向において根太本体３０に向かって接近させ、二つの目印４５間に根太本体３０の端部３０Ｂ側の端面が位置した際に、コイルばね５０の付勢力が予め定められた設定値の範囲内に設定されたとし、止めナット７４を回転してスライド部材４０の連結板部４３に当接して、軸部材７１の回転をロックする。このように、コイルばね５０の付勢力を調整し、根太３の壁部６，７に対する押圧力を調整することで、突っ張り状態を調整する。ここで仮に、長さ調整具７０の長さ調整によってコイルばね５０の付勢力を設定値の範囲内に調整しきれかなった場合には、長さ調整具６０の長さ調整によってコイルばね５０の付勢力を調整してもよい。
【００３６】
次に、複数のデッキ材２を根太３上に載置しながら水平方向に並設し、バルコニー４の出幅方向における両端部に配置されたデッキ材２Ａ，２Ｂを固定ビス８によって根太本体３０の両端部３０Ａ，３０Ｂに固定する。
このようにして、デッキ１をバルコニー４に施工する。
【００３７】
［本実施形態の効果］
（１）長さ調整具６０，７０を備えるため、根太３の一対の壁部６，７間への設置の際に根太３の全長を調整できるうえ、根太本体３０に対してスライド可能なスライド部材４０と根太本体３０の端部３０Ｂに設けられた固定金具３７との間に介在されるコイルばね５０によって、スライド部材４０が壁部７に向かって付勢されるため、アルミ製の根太本体３０の長さ寸法が外気温の変化を受けて変化しても、この外気温の変化に対応してスライド部材４０が根太本体３０の長手方向に沿ってスライドし、コイルばね５０が弾性伸縮することで、各根太３の固定状態を一定に保つことができる。つまり、外気温の温度低下によって根太本体３０の長さ寸法が縮む場合には、コイルばね５０に付勢されるスライド部材４０が壁部７に向かってスライドすることで、根太３の全長を伸ばすことができ、壁部６，７への固定が位置ズレを生じる程度にまで緩むことを防止できる。また、外気温の温度上昇によって根太本体３０の長さ寸法が伸びる場合には、スライド部材４０がコイルばね５０の付勢に抗して根太本体３０の端部３０Ｂに向かってスライドすることで、根太３の全長を縮めることができ、壁部６，７に過大な押圧力が加えられることを抑制できる。
さらに、長さ調整具６０，７０の長さ調整によって壁部６，７に対する突っ張り力をも調整できる。
また、長さ調整具６０の長さ調整によって根太本体３０の長手方向における位置を調整でき、設置自由度を拡げることができる。
他方、根太３を壁部６，７間に突っ張り固定した状態で、長さ調整具７０による長さ調整を行うことで、根太本体３０の長手方向における位置を維持したままスライド部材４０の根太本体３０に対する位置を調整でき、壁部６，７に対する押圧力を調整できる。
（２）長さ調整具６０の長さ調整によって根太本体３０に対する当接部材６２の突出量を調整できるため、長さ調整具６０を根太本体３０の位置調整や根太３の全長調整用として利用できる。他方、長さ調整具７０の長さ調整によってスライド部材４０に対する当接部材７２の突出量を調整できるため、長さ調整具７０を付勢力調整用として利用できる。このため、長さ調整具６０，７０の使い分けによって施工性の向上を図れる。さらに、長さ調整具６０，７０の双方を備えるため、調整幅の拡大を容易に行うことができる。
（３）連結体５５Ａ，５５Ｂが、根太本体３０に対するスライド部材４０の傾きを抑制可能に長孔４１１，４２１に挿通されるため、スライド部材４０の根太本体３０に対する傾きによる根太３の浮き上がりを抑制できる。
（４）連結体５５Ａ，５５Ｂの構成を２本の段付きビス５５１，５５２によって簡略化でき、段付きビス５５１，５５２がスライド方向に並んで位置するため、スライド部材４０の根太本体３０に対する傾きを抑制できる。
（５）根太本体３０に対するスライド方向の位置を示す目印４５がスライド部材４０に設けられるため、目印４５によってスライド部材４０の根太本体３０に対するスライド方向の位置を確認しつつスライド部材４０を位置調整することで、コイルばね５０の付勢力を予め定められた設定値に簡単に設定できる。
（６）高さ調整具８０が根太本体３０に取り付けられるため、例えば、根太３の下部に高さ位置調整用のパネル材（図示省略）などを設置しなくても、高さ調整具８０によって根太３の高さ位置を適切な高さ位置に簡単に調整できる。
（７）デッキ１の施工において、先ず長さ調整具６０の長さ調整によって根太３の全長を調整して当接部材６２，７２を壁部６，７に当接することで、壁部６，７に大きな押圧力を加えることなく、根太３の固定位置を設定（仮固定）できる。
さらに、長さ調整具７０の長さ調整によってスライド部材４０を根太本体３０に対してスライドさせるため、根太本体３０の位置変化を生じることなく根太３の固定位置を維持したまま、コイルばね５０の付勢力を設定値に設定できる。
このように、長さ調整具６０を根太３の全長調整に用い、長さ調整具７０をコイルばね５０の付勢力の調整に用いることで、施工性を向上できる。
【００３８】
［変形例］
本発明は、以上の実施形態で説明した構成のものに限定されず、本発明の目的を達成できる範囲での変形例は、本発明に含まれる。
例えば、前記実施形態では、長さ調整具６０，７０の双方を備えて構成されているが、これに限定されず、長さ調整具６０，７０のうちのいずれか一方だけを備えて構成されていてもよい。長さ調整具６０の構成が省略される場合には、当接部材６２は固定金具３６に取り付けられ、また、長さ調整具７０の構成が省略される場合には、当接部材７２はスライド部材４０に取り付けられる。これらの場合において、固定金具３６やスライド部材４０には、当接部材６２，７２ではなく、例えば緩衝材によって構成される当接部材が取り付けられてもよい。
【００３９】
前記実施形態では、スライド方向に並んで位置する２本の段付きビス５５１，５５２によってスライド部材４０を根太本体３０に連結しているが、これに限定されず、例えば３本以上の段付きビス５５１，５５２を備えていてもよい。また、１本の段付きビス５５１（５５２）を備えていてもよく、この場合には、スライド部材４０は根太延出板部３５Ａ，３５Ｂによってスライド方向に案内されて、根太本体３０に対する傾きが抑制される。
また、前記実施形態では、スライド方向に並んで位置する２本の段付きビス５５１，５５２を備えるため、根太延出板部３５Ａ，３５Ｂを省略して根太本体３０を構成しても、スライド部材４０の根太本体３０に対する傾きは、段付きビス５５１，５５２によって抑制可能である。
【００４０】
前記実施形態では、スライド部材４０には、根太本体３０に対するスライド方向における所定範囲内の位置を示す目印４５が設けられているが、この目印４５の構成は省略されてもよい。
【００４１】
前記実施形態では、根太本体３０には高さ調整具８０が取り付けられているが、当該高さ調整具８０の構成を省略してもよい。この場合、根太３の下部に高さ位置調整用のパネル材（図示省略）などを設置して、根太３の高さ位置を調整する。
【００４２】
前記実施形態では、長孔４１１，４２１がスライド部材４０に形成され、連結体５５Ａ，５５Ｂが根太本体３０に固定されているが、これに限定されず、例えば長孔４１１，４２１が根太本体３０に形成され、連結体５５Ａ，５５Ｂがスライド部材４０に形成されていてもよい。この場合固定金具３７にも連結体５５Ａ，５５Ｂが挿通される長孔が形成される。
【００４３】
前記実施形態では、デッキ１の施工において、長さ調整具７０の長さ調整によってコイルばね５０の付勢力を調整しているが、これに限定されず、例えば長さ調整具６０の長さ調整によってコイルばね５０の付勢力を調整してもよい。なお、この場合、根太本体３０は長手方向に変位を生じることとなる。
【符号の説明】
【００４４】
１…デッキ、２（２Ａ，２Ｂ）…デッキ材、３…根太（デッキ支持材）、４…バルコニー、５…底部、６，７…壁部、８…固定ビス、９，１０…ビス、２１…デッキ上板部、２２…デッキ下板部、２３…デッキ側縁部、２４…補強板部、２５…連結金具、３０…根太本体（支持本体）、３０Ａ，３０Ｂ…端部、３１…根太上板部、３２，３３…根太側板部、３４…根太下板部、３５Ａ，３５Ｂ…根太延出板部、３６，３７…固定金具、４０…スライド部材、４１，４２…スライド板部、４３，３６３，３７３…連結板部、４５…目印、５０…コイルばね（ばね部材）、５５Ａ，５５Ｂ…連結体、６０，７０…長さ調整具（第一長さ調整具、第二長さ調整具）、６１，７１，８１…軸部材、６２，７２…当接部材、６３，７３…操作ナット、６４，７４…止めナット、８０…高さ調整具、８２…操作摘み、８３…取付板、３４１…嵌合凹部、３６１，３６２，３７１，３７２…側板部、３６３Ａ…螺合孔、３７３Ａ…挿通孔、４１１，４２１…長孔、４３１…螺合孔、５５１，５５２…段付きビス（連結用ビス）。
【図１】
0006386879.tif 000002
【図２】
0006386879.tif 000003
【図３】
0006386879.tif 000004
【図４】
0006386879.tif 000005
【図５】
0006386879.tif 000006
【図６】
0006386879.tif 000007